(57)【要約】      （修正有）【課題】回路が双方向で、高周波にも対応でき、低周波でのトルクも大きく、消費電流も極小となり、３ボルトの様な低電圧でも大きなトルクが得られるデジタルの三相交流発生器による三相誘導電動機を提供する。【解決手段】入力Ａ＝（１１１０００）、入力Ｂ＝（００１１１０）、入力Ｃ＝（１０００１１）を設け、その否定入力ＡＡ＝（０００１１１）、否定入力ＢＢ＝（１１０００１）、否定入力ＣＣ＝（０１１１００）を設け、（）内の動作は左から順にそれぞれ同期動作するものとし、（）内の同期動作を繰り返し動作する三相誘導電動機１３の駆動回路。【選択図】  図１
2004166466.tif 000002
【特許請求の範囲】
【請求項１】
入力Ａ＝（１１１０００）、入力Ｂ＝（００１１１０）、入力Ｃ＝（１０００１１）を設け、その否定入力ＡＡ＝（０００１１１）、否定入力ＢＢ＝（１１０００１）、否定入力ＣＣ＝（０１１１００）を設け、（）内の動作は左から順にそれぞれ同期動作するものとし、（）内の同期動作を繰り返し動作するものとし、最初動作するものは左から１〜６番目であってもよいものとし、１はオンを表わし、０はオフを表わし、オペアンプ（１）を設け、入力Ａをオペアンプ（１）のプラス入力端子（４）｛又はマイナス入力端子（５）｝に接続し、否定入力ＡＡをオペアンプ（１）のマイナス入力端子（５）｛又はプラス入力端子（４）｝に接続し、オペアンプ（２）を設け、入力Ｂをオペアンプ（２）のプラス入力端子（４）｛又はマイナス入力端子（５）｝に接続し、否定入力ＢＢをオペアンプ（２）のマイナス入力端子（５）｛又はプラス入力端子（４）｝に接続し、オペアンプ（３）を設け、入力Ｃをオペアンプ（３）のプラス入力端子（４）｛又はマイナス入力端子（５）｝に接続し、否定入力ＣＣをオペアンプ（３）のマイナス入力端子（５）｛又はプラス入力端子（４）｝に接続し、｛｝内は否定入力ＡＡ・否定入力ＢＢ・否定入力ＣＣをそれぞれプラス入力端子（４）に接続し入力Ａ・入力Ｂ・入力Ｃをそれぞれマイナス入力端子（５）に接続する接続に変えてもよいものとし、オペアンプ（１）（２）（３）の直流電源＋Ｖ（１５）を設け、オペアンプ（１）の出力端子をＬ（６）とし、オペアンプ（２）の出力端子をＭ（７）とし、オペアンプ（３）の出力端子をＮ（８）とし、オペアンプ（１）（２）（３）のアースをＥ（９）とし、Ｅ（９）をそれぞれ接続し、Ｅ（９）は０ボルトに近い状態であり、三相誘導電動機（１３）を設け、三相誘導電動機（１３）の入力端子をそれぞれＵ（１０）・Ｖ（１１）・Ｗ（１２）とし、三相誘導電動機（１３）のアースをＥＥ（１４）とし、Ｌ（６）とＵ（１０）を接続し、Ｍ（７）とＶ（１１）を接続し、Ｎ（８）とＷ（１２）を接続し、Ｌ（６）・Ｍ（７）・Ｎ（８）の出力が三相交流発生器となる三相誘導電動機（１３）。
【発明の詳細な説明】
【０００１】
【発明に属する技術分野】
この発明は、デジタルの三相交流発生器による三相誘導電動機に関するものである。
【０００２】
【従来の技術】
従来、交流発生を単方向（正電圧又は負電圧）に使い、半導体素子を６個使って三相交流を発生するインバーターによる三相誘導電動機があった。
【０００３】
【発明が解決しようとする課題】
これは次の様な欠点があった。
（イ）交流発生を単方向に使う為、回路が複雑であった。
（ロ）高周波にするのがむずかしかった。
（ハ）低周波で三相誘導電動機のトルクが少なかった。
（ニ）三相誘導電動機の消費電流が大きかった。
本発明は、これらの欠点を除くためになされたものである。
【０００４】
【課題を解決するための手段】
入力Ａ＝（１１１０００）、入力Ｂ＝（００１１１０）、入力Ｃ＝（１０００１１）を設け、その否定入力ＡＡ＝（０００１１１）、否定入力ＢＢ＝（１１０００１）、否定入力ＣＣ＝（０１１１００）を設け、（）内の動作は左から順にそれぞれ同期動作するものとし、（）内の同期動作を繰り返し動作するものとし、最初動作するものは左から１〜６番目であってもよいものとし、１はオンを表わし、０はオフを表わし、オペアンフ（１）を設け、入力Ａをオペアンプ（１）のプラス入力端子（４）｛又はマイナス入力端子（５）｝に接続し、否定入力ＡＡをオペアンプ（１）のマイナス入力端子（５）｛又はプラス入力端子（４）｝に接続し、オペアンプ（２）を設け、入力Ｂをオペアンプ（２）のプラス入力端子（４）｛又はマイナス入力端子（５）｝に接続し、否定入力ＢＢをオペアンプ（２）のマイナス入力端子（５）｛又はプラス入力端子（４）｝に接続し、オペアンプ（３）を設け、入力Ｃをオペアンプ（３）のプラス入力端子（４）｛又はマイナス入力端子（５）｝に接続し、否定入力ＣＣをオペアンプ（３）のマイナス入力端子（５）｛又はプラス入力端子（４）｝に接続し、｛｝内は否定入力ＡＡ・否定入力ＢＢ・否定入力ＣＣをそれぞれプラス入力端子（４）に接続し入力Ａ・入力Ｂ・入力Ｃをそれぞれマイナス入力端子（５）に接続する接続に変えてもよいものとし、オペアンプ（１）（２）（３）の直流電源＋Ｖ（１５）を設け、オペアンプ（１）の出力端子をＬ（６）とし、オペアンプ（２）の出力端子をＭ（７）とし、オペアンプ（３）の出力端子をＮ（８）とし、オペアンプ（１）（２）（３）のアースＥ（９）とし、Ｅ（９）をそれぞれ接続し、Ｅ（９）は０ボルトに近い状態であり、三相誘導電動機（１３）を設け、三相誘導電動機（１３）の入力端子をそれぞれＵ（１０）・Ｖ（１１）・Ｗ（１２）とし、三相誘導電動機（１３）のアースをＥＥ（１４）とし、Ｌ（６）とＵ（１０）を接続し、Ｍ（７）とＶ（１１）を接続し、Ｎ（８）とＷ（１２）を接続し、Ｌ（６）・Ｍ（７）・Ｎ（８）の出力が三相交流発生器となる。
本発明は以上の構成よりなるデジタルの三相交流発生となる三相誘導電動機（１３）である。
【０００５】
【発明の実施の形態】
以下、本発明の実施の形態について説明する。
スイッチ回路、マイコン制御、コンピューター制御により、入力Ａ＝（１１１０００）、入力Ｂ＝（００１１１０）、入力Ｃ＝（１０００１１）を設け、その否定入力ＡＡ＝（０００１１１）、否定入力ＢＢ＝（１１０００１）、否定入力ＣＣ＝（０１１１００）を設け、（）内の動作は左から順に同期動作するものとし、（）内の同期動作を繰り返し動作するものとし、最初動作するものは左から１〜６番目であってもよいものとし、１はオンを表わし、０はオフを表わし、オペアンプ（１）を設け、入力Ａをオペアンプ（１）のプラス入力端子（４）｛又はマイナス入力端子（５）｝に接続し、否定入力ＡＡをオペアンプ（１）のマイナス入力端子（５）｛又はプラス入力端子（４）｝に接続し、オペアンプ（２）を設け、入力Ｂをオペアンプ（２）のプラス入力端子（４）｛又はマイナス入力端子（５）｝に接続し、否定入力ＢＢをオペアンプ（２）のマイナス入力端子（５）｛又はプラス入力端子（４）｝に接続し、オペアンプ（３）を設け、入力Ｃをオペアンプ（３）のプラス入力端子（４）｛又はマイナス入力端子（５）｝に接続し、否定入力ＣＣをオペアンプ（３）のマイナス入力端子（５）｛又はプラス入力端子（４）｝に接続し、｛｝内は否定入力ＡＡ・否定入力ＢＢ・否定入力ＣＣをそれぞれプラス入力端子（４）に接続し入力Ａ・入力Ｂ・入力Ｃをそれぞれマイナス入力端子（５）に接続する接続に変えてもよいものとし、オペアンプ（１）（２）（３）の直流電源＋Ｖ（１５）を設け、オペアンプ（１）の出力端子をＬ（６）とし、オペアンプ（２）の出力端子をＭ（７）とし、オペアンプ（３）の出力端子をＮ（８）とし、オペアンプ（１）（２）（３）のアースをＥ（９）とし、Ｅ（９）をそれぞれ接続し、Ｅ（９）は０ボルトに近い状態であり、三相誘導電動機（１３）を設け、三相誘導電動機（１３）の入力端子をそれぞれＵ（１０）・Ｖ（１１）・Ｗ（１２）と、三相誘導電動機（１３）のアースをＥＥ（１４）とし、Ｌ（６）とＵ（１０）を接続し、Ｍ（７）とＶ（１１）を接続し、Ｎ（８）とＷ（１２）を接続する。
本発明は以上の様な構造で、Ｌ（６）・Ｍ（７）・Ｎ（８）の出力がデジタルの三相交流発生器となる三相誘導電動機（１３）である。
図３に示す様にリングカウンター回路を使ってもよいものとする。以下それを説明する。
リングカウンターＲ＝（Ｑ１，Ｑ２，Ｑ３，Ｑ４，Ｑ５，Ｑ６）＝（１６）を設け、
Ｑ１＝（１０００００）
Ｑ２＝（０１００００）
Ｑ３＝（００１０００）
Ｑ４＝（０００１００）
Ｑ５＝（００００１０）
Ｑ６＝（０００００１）
とし、Ｑ１の出力はフリップフロップＩＣ（１７）のＱの出力となり、Ｑ２の出力はフリップフロップＩＣ（１８）のＱの出力となり、Ｑ３の出力はフリップフロップＩＣ（１９）のＱの出力となり、Ｑ４の出力はフリップフロップＩＣ（２０）のＱの出力となり、Ｑ５の出力はフリップフロップＩＣ（２１）のＱの出力となり、Ｑ６の出力はフリップフロップＩＣ（２２）のＱの出力となる。オア回路（２６）（２７）（２８）を設け、Ｑ１，Ｑ２，Ｑ３の出力端子をオア回路（２６）の入力端子にそれぞれ接続し、Ｑ３，Ｑ４，Ｑ５の出力端子をオア回路（２７）の入力端子にそれぞれ接続し、Ｑ１，Ｑ５，Ｑ６の出力端子をオア回路（２８）の入力端子に接続すると、
Ｑ１＋Ｑ２＋Ｑ３＝（１１１０００）＝Ａ
Ｑ３＋Ｑ４＋Ｑ５＝（００１１１０）＝Ｂ
Ｑ１＋Ｑ５＋Ｑ６＝（１０００１１）＝Ｃ
となり、スイッチ回路・マイコン制御・コンピューター制御により得られる入力Ａ・入力Ｂ・入力Ｃと同じものが得られる。
否定回路（２９）（３０）（３１）を設け、オペアンプ（１）（２）（３）を設け、オア回路（２６）の出力端子を否定回路（２９）の入力端子に接続し、オア回路（２７）の出力端子を否定回路（３０）の入力端子に接続し、オア回路（２８）の出力端子を否定回路（３１）の入力端子に接続する。オア回路（２６）の出力端子をオペアンプ（１）のプラス入力端子（４）に接続し、オア回路（２７）の出力端子をオペアンプ（２）のプラス入力端子（４）に接続し、オア回路（２８）の出力端子をオペアンプ（３）のプラス入力端子（４）に接続する。否定回路（２９）の出力端子をオペアンプ（１）のマイナス入力端子（５）に接続し、否定回路（３０）の出力端子をオペアンプ（２）のマイナス入力端子（５）に接続し、否定回路（３１）の出力端子をオペアンプ（３）のマイナス入力端子（５）に接続する。オペアンプ（１）（２）（３）のアースをＥ（９）とし、Ｅ（９）をそれぞれ接続し、Ｅ（９）は０ボルトに近い状態である。オペアンプ（１）（２）（３）の直流電源＋Ｖ（１５）を設ける。三相誘導電動機（１３）を設け、オペアンプ（１）の出力端子Ｌ（６）を三相誘導電動機（１３）の入力端子Ｕ（１０）に接続し、オペアンプ（２）の出力端子Ｍ（７）を三相誘導電動機（１３）の入力端子Ｖ（１１）に接続し、オペアンプ（３）の出力端子Ｎ（８）を三相誘導電動機（１３）の入力端子Ｗ（１２）に接続する。
Ｌ（６）Ｍ（７）Ｎ（８）の出力がデジタルの三相交流発生となる三相誘導電動機（１３）となる。三相交流発生器による三相誘導電動機（１３）が得られる。
【０００６】
【発明の効果】
回路が双方向で、高周波にも対応でき、低周波でのトルクも大きく、消費電流も極小となり、３ボルトの様な低電圧でも大きなトルクが得られる三相誘導電動機（１３）を提供できる。
【図面の簡単な説明】
【図１】本発明の電気図面である。
【図２】本発明のオペアンブ（１）（２）（３）の出力端子Ｌ（６）・Ｍ（７）・Ｎ（８）にスター結線のコイル負荷を接続した場合の入力１〜６番目の電流の流
れを示した図面である。
【図３】本発明のリングカウンターを使った場合の電気図面である。
【符号の説明】
１〜３    オペアンプ
４        オペアンプ（１）（２）（３）のそれぞれのプラス入力端子
５        オペアンプ（１）（２）（３）のそれぞれのマイナス入力端子
６        Ｌ｛オペアンプ（１）の出力端子｝
７        Ｍ｛オペアンプ（２）の出力端子｝
８        Ｎ｛オペアンプ（３）の出力端子｝
９        Ｅ｛オペアンプ（１）（２）（３）のそれぞれのアース｝
１０      Ｕ｛三相誘導電動機（１３）の入力端子｝
１１      Ｖ｛三相誘導電動機（１３）の入力端子｝
１２      Ｗ｛三相誘導電動機（１３）の入力端子｝
１３      三相誘導電動機
１４      ＥＥ｛三相誘導電動機（１３）のアース｝
１５      ＋Ｖ（直流電源）
１６      リングカウンターＲ
１７〜２２フリップフロップＩＣ
２３      イニシャライズ
２４      カウントパルス
２５      ＮＡＮＤ回路
２６〜２８オア回路
２９〜３１否定回路
【図１】
2004166466.tif 000003
【図２】
2004166466.tif 000004
【図３】
2004166466.tif 000005